(57)【要約】  【課題】建設機械の前窓が引上げられたとき、該窓が所定位置で完全にロックされたことを確実に検出し、表示する装置の提供。  【解決手段】本発明建設機械前窓のロック状態検出表示装置は、前窓２の収納終端付近１１に、前窓２に取り付けたロックピン１２を捉えるキャッチレバー１３と該レバー１３をロックするラッチレバー１４を持つロック機構１５を設けるとともに、該機構１５には前記ラッチレバー１４を介してキャッチレバー１３のロック状態を検出するリミットスイッチ１６を設け、これをロックランプ１７に電気結線したので、前窓が完全に収納され、ロック機構におけるロックピンを捉えるキャッチレバーをラッチレバーがロックしたときのみ、リミットスイッチ１６が作動してこれを検出しロックランプ１７で表示するので、その作動が確実であり、誤作動が生じない。  【選択図】図１
2006241716.tif 000002
【特許請求の範囲】
【請求項１】
前窓がローラとこれを導くガイドレールによりキャブの天井内側に収納し得るよう構成された建設機械における前記前窓の収納終端付近に、前窓に取り付けたロックピンを捉えるキャッチレバーと該レバーをロックするラッチレバーを持つロック機構を設けるとともに、該機構には前記ラッチレバーを介してキャッチレバーのロック状態を検出するリミットスイッチを設け、これをロックランプに電気結線したことを特徴とする建設機械前窓のロック状態検出表示装置。
【発明の詳細な説明】
【技術分野】
【０００１】
本発明は、建設機械の前窓のロック状態を検出し、これを表示する装置に関するものである。
【背景技術】
【０００２】
建設機械における前窓を、通風のためあるいは前方視界を良好にするため、必要に応じてこれを引き上げ、天井内側に一時収納することが行われている。
【０００３】
即ち図７に略示したように、キャブ（運転室）１の前窓２を通常は所定位置３に固定しておくが、前記理由により前窓２を開けるときは、図示しない前方ロック機構を外した後、例えばモータ等で駆動する引上げ機構４を作動させ、前窓２をその上下の左右端部に取り付けたローラ５をガイドレール６内に転動させてキャブ１の天井内側に収納し、例えば図８に示すラッチ機構７をもつ後方ロック機構（これも図７には図示せず）によりロックするのである。
【０００４】
従来、前記前窓２の収納状態を確認するためには、運転者が手で前窓２のガタツキを調べ、手の感覚で前窓２が確実に止まっているか否かを判断するか、あるいは図９に示す別設定のロック機構８があれば、それと前窓２との掛り具合、即ちスライドラッチピン９がキャブ１側に形成した受け穴１０に確実に挿入されているか否かで判断していた。
【０００５】
従って、図８に示すラッチ機構７のみに頼るときは、メインラッチ７ａ、セカンダリラッチ７ｂの整備、調整が不十分であると、例えばメインラッチ７ａが完全にロックされない状態で使用される可能性があり、この状態のままで使用するときは過度の負荷がセカンダリラッチ７ｂに掛かって最悪の場合、該ラッチ７ｂを破壊し、前窓２が自重で落下して不測の被害を生ずるおそれがある。
【０００６】
収納可能な前窓にワイパーが設けられている場合に、収納時のワイパーの不測の作動を防止するため、前窓を引き上げんとする際、前窓の動きを感知するリミットスイッチによりワイパーへの電流を遮断する手段が下記文献に記載されているが、前窓のロック状態を検出し、これを表示する装置ではない。
【特許文献１】特開２００１−２９５３１８号公報
【発明の開示】
【発明が解決しようとする課題】
【０００７】
本発明が解決しようとする課題は、前窓が引き上げられたとき、該窓が所定位置で完全にロックされたことを確実に検出し、表示する装置を提供することにある。
【課題を解決するための手段】
【０００８】
本発明は、前窓がローラとこれを導くガイドレールによりキャブの天井内側に収納し得るよう構成された建設機械における前記前窓の収納終端付近に、前窓に取り付けたロックピンを捉えるキャッチレバーと該レバーをロックするラッチレバーを持つロック機構を設けるとともに、該機構には前記ラッチレバーを介してキャッチレバーのロック状態を検出するリミットスイッチを設け、これをロックランプに電気結線したことを特徴とする建設機械前窓のロック状態検出表示装置に係る。
【発明の効果】
【０００９】
本発明の建設機械前窓のロック状態検出表示装置では、前窓の収納終端付近に、前窓に取り付けたロックピンを捉えるキャッチレバーと該レバーをロックするラッチレバーを持つロック機構を設けるとともに、該機構には前記ラッチレバーを介してキャッチレバーのロック状態を検出するリミットスイッチを設け、これをロックランプに電気結線したので、前窓が完全に収納され、ロック機構におけるロックピンを捉えるキャッチレバーをラッチレバーがロックしたときのみリミットスイッチが作動してこれを検出し表示するので、その作動が確実であり、誤作動は生じない。
【００１０】
また、前窓の収納状態の表示は、ロックランプの表示によるので、前窓の収納状態の確認が確実、容易にできる。
【発明を実施するための最良の形態】
【００１１】
本発明の好ましい実施の形態を図１乃至図６により説明すると、本発明の建設機械前窓のロック状態検出表示装置は、前窓２の収納終端付近１１に、前窓２に取り付けたロックピン１２を捉えるキャッチレバー１３と該レバー１３をロックするラッチレバー１４を持つロック機構１５を設けるとともに、該機構１５には前記ラッチレバー１４を介してキャッチレバー１３のロック状態を検出するリミットスイッチ１６を設け、これをロックランプ１７に電気結線したものである。
【実施例１】
【００１２】
図１〜図３に示す本発明のロック機構１５におけるリミットスイッチ１６は、先端１６ａが単に滑らかな円弧状をなすのみであり、この先端１６ａがラッチレバー１４に接近して対峙している。
【００１３】
前記ラッチレバー１４は、図１〜図３および図６において図示しないばねにより常に時計方向の回動力が与えられているが、図１、図２に示すロック状態においてはキャッチレバ１３の切欠き部１３ａに掛かるように設定され、このときラッチレバー１４とリミットスイッチ１６の先端１６ａとの間には隙間があってリミットスイッチ１６はＯＮとなっている。
【００１４】
また、図３に示すアンロック状態においては、ラッチレバー１４のリミットスイッチ１６の先端１６ａに対峙する側は、キャッチレバー１３の肩１３ｂによって押し上げられ、リミットスイッチ１６はＯＦＦとなる。
【実施例２】
【００１５】
図６に示すロック機構１５’では、リミットスイッチ１６’の先端がローラ１６’ａとなっており、ラッチレバー１４と接触を滑らかにしているが、作動は前記図１〜図３に示すものと変わりない。
【００１６】
上述の構成をもつ本発明の建設機械前窓のロック状態検出表示装置では、前述の如く前窓２を開けるため、図示しない前方ロック機構を外した後、例えば図７のモータ等で駆動する引上げ機構４を作動させ、前窓２をその上下の左右端部に取り付けたローラ５をガイドレール６内に転動させ、キャブ１の天井内側に引き上げれば、その収納終端付近１１にて前窓２に取り付けたロックピン１２がロック機構１５、１５’のキャッチレバー１３に捉えられ、図２に示すようにラッチレバー１４の先端がキャッチレバ１３の切欠き部１３ａに掛かってロックし、前窓２はその位置に固定される。
【００１７】
このときリミットスイッチ１６、１６’の先端１６ａ、１６’ａは、ラッチレバー１４との間に隙間を生じ、リミットスイッチ１６はＯＮとなって、ロックランプ１７が点灯する。
【産業上の利用可能性】
【００１８】
本発明は建設機械の前窓への適用に限られる。
【図面の簡単な説明】
【００１９】
【図１】は本発明建設機械前窓のロック状態検出表示装置におけるロック機構の要部正面図である。
【図２】は本発明建設機械前窓のロック状態検出表示装置におけるロック機構の要部正面図で、ロック状態を示す図である。
【図３】は本発明建設機械前窓のロック状態検出表示装置におけるロック機構の要部正面図で、アンロック状態を示す図である。
【図４】は本発明建設機械前窓のロック状態検出表示装置を備えた建設機械キャブ内後部付近を示し、図５のＤ−Ｄ断面矢視図である。
【図５】は本発明建設機械前窓のロック状態検出表示装置を備えた建設機械キャブの部分的後部側面図である。
【図６】は本発明建設機械前窓のロック状態検出表示装置におけるロック機構の他の例を示す要部正面図である。
【図７】は前窓が収納できる建設機械用キャブの側面略示図である。
【図８】は前窓のロック機構の一例を示す斜視図である。
【図９】は別設定の前窓ロック機構の一例を示す斜視図である。
【符号の説明】
【００２０】
１                    キャブ
２                    前窓
３                    所定位置
４                    引上げ機構
５                    ローラ
６                    ガイドレル
７                    ラッチ機構
８、１５、１５’      ロック機構
９                    スライドラッチピン
１０                    受け穴
１１                    収納終端付近
１２                    ロックピン
１３                    キャッチレバー
１４                    ラッチレバー
１６、１６’            リミットスイッチ
１７                    ロックランプ。
【図１】
2006241716.tif 000003
【図２】
2006241716.tif 000004
【図３】
2006241716.tif 000005
【図４】
2006241716.tif 000006
【図５】
2006241716.tif 000007
【図６】
2006241716.tif 000008
【図７】
2006241716.tif 000009
【図８】
2006241716.tif 000010
【図９】
2006241716.tif 000011